(57)【要約】      （修正有）【課題】発動機の全体構造を簡単にし、燃料燃焼方式でのパワー産生を避け、環境に対する汚染問題を低減する電動発動機の伝動装置を提供する。【解決手段】伝動装置１は主に、一定の間隔で配列される数個の支持軸１２と、支持軸１２の軸接部を貫く伝動主軸１３と、伝動主軸１３が貫通、固定される最少４個の荷重プーリー１４１〜１４４と、伝動主軸１３に軸、固定され、電動発動機３に駆動される第一伝動プーリー１５１と、伝動主軸１３と軸接、固定され、発電機２にパワーを供給する最少１個の第二伝動プーリー１５２とを備え、前記４個の荷重プーリー１４１〜１４４は２個ずつ支持軸１２の両側に配置され、伝動装置１は第一伝動部と第二伝動部とにより構成され、支持軸１２の中央に伝動主軸１３が貫通される伝動軸受１２２が設置される。【選択図】図１
0003163161.tif 000002
【実用新案登録請求の範囲】
【請求項１】
伝動装置（１）の入力端は電動発電機（３）に駆動され、伝動装置（１）の出力端はパワーを発電機（２）に提供し、発電させ、発電機（２）は産生した電力を蓄電装置（４）に保存し、そして蓄電装置（４）はまた前述の電動発電機（３）に供電して、伝動装置（１）を駆動する形式の電動発動機の伝動装置であって、
前記伝動装置（１）は主に、一定の間隔で配列される数個の支持軸（１２）と、支持軸（１２）の軸接部を貫く伝動主軸（１３）と、伝動主軸（１３）に貫通、固定される最少４個の荷重プーリー（１４１、１４２、１４３、１４４）と、伝動主軸（１３）に軸、固定され、電動発動機（３）に駆動される第一伝動プーリー（１５１）と、伝動主軸（１３）に軸接、固定され、発電機（２）にパワーを供給する最少１個の第二伝動プーリー（１５２）とを備え、前記４個の荷重プーリー（１４１〜１４４）は２個ずつ支持軸（１２）の両側に配置されて、伝動装置（１）は第一伝動部（１ａ）と第二伝動部（１ｂ）とにより構成され、支持軸（１２）の中央に伝動主軸（１３）が貫通される伝動軸受（１２２）が設置される、
ことを特徴とする電動発動機の伝動装置。
【請求項２】
伝動装置（１）の各プーリー（１４１〜１４４、１５１、１５２）と軸受（１２２）は伝動主軸（１３）に、その一端側から第一伝動プーリー（１５１）、第一荷重プーリー（１４１）、伝動軸受（１２２）、第二荷重プーリー（１４２）、第三荷重プーリー（１４３）、伝動軸受（１２２）、第四荷重プーリー（１４４）、第二伝動プーリー（１５２）の順番に配置される請求項１に記載の電動発動機の伝動装置。
【請求項３】
伝動装置（１）は表面に開口部（１１）を有するケース（１０）の内部に設置され、ケース（１０）内壁面は最少４個の荷重プーリー（１４１〜１４４）に対応し、荷重プーリー（１４１〜１４４）の外周の、荷重プーリー（１４１〜１４４）外周を囲む内軌道輪（５１）一個、ケース（１０）内壁の中にあり、内軌道輪（５１）と間隔を持つ外軌道輪（５２）一個、内軌道輪（５１）と外軌道輪（５２）の間にあり、内軌道輪（５１）を囲む玉（５３）数個により構成される可動軌道輪（５０）をカバーする請求項１に記載の電動発動機の伝動装置。
【請求項４】
ケース（１０）は、一つのケースベース（１０１）と、ケースベース（１０１）の二箇所に被せられる二つのケースカバー（１０２、１０３）により構成され、二つのケースカバー（１０２、１０３）の間に開口部（１１）が形成され、さらにケース（１０）内の左右半部の底面に、可動軌道輪（５０）の玉（５３）に機械油を供給するための機械油槽（１０４、１０５）がそれぞれ設置される請求項１に記載の電動発動機の伝動装置。
【請求項５】
全ての荷重プーリー（１４１〜１４４）の半分の輪に、凹部（１４ａ）が設置され、全ての荷重プーリー（１４１〜１４４）の残りの半分の輪に、凸部（１４ｂ）が設置され、一つの荷重プーリー（１４１〜１４４）の凸部（１４ｂ）と凹部（１４ａ）が、もう一つの荷重プーリー（１４１〜１４４）の凸部（１４ｂ）と凹部（１４ａ）の間に、角度（θ）を形成する請求項１に記載の電動発動機の伝動装置。
【請求項６】
伝動装置（１）の各プーリー（１４１〜１４４、１５１、１５２）と軸受（１２２）は、伝動主軸（１３）に、その一端側から第一荷重プーリー（１４１）、伝動軸受（１２２）、第二荷重プーリー（１４２）、第二伝動プーリー（１５２）、第一伝動プーリー（１５１）、第三荷重プーリー（１４３）、伝動軸受（１２２）、第四荷重プーリー（１４４）の順番に配置される請求項１に記載の電動発動機の伝動装置。
【請求項７】
伝動装置に、第五荷重プーリー、第六荷重プーリー、及び第二伝動プーリー２個が増設され、伝動装置（１）の各プーリー（１４１〜１４４、１５１、１５２）と軸受（１２２）は、伝動主軸（１３）に、その一端側から第一荷重プーリー（１４１）、伝動軸受（１２２）、第二荷重プーリー（１４２）、第二伝動プーリー（１５２）、第三荷重プーリー（１４３）、第二伝動プーリー（１５３）、伝動軸受（１２２）、第一伝動プーリー（１５１）、第四荷重プーリー（１４４）、第二伝動プーリー（１５４）、第五荷重プーリー（１４５）、伝動軸受（１２２）、第六荷重プーリー（１４６）の順番に配置される請求項１に記載の電動発動機の伝動装置。
【考案の詳細な説明】
【技術分野】
【０００１】
本考案は電動発動機の伝動装置に関する。
【背景技術】
【０００２】
人間は太陽熱、水力、風力を利用して電力を獲る装置、例えば外燃機、内燃機、電動機、太陽熱装置、風力発電機、水力発電機を開発、発展させてきた。
【考案の概要】
【考案が解決しようとする課題】
【０００３】
しかしながら、上記従来の装置は次のような問題を有している。
（１）外燃機は、体積が大きく、消耗する燃料と水が多いため、エネルギー消耗量が多いという問題がある。また、燃料が燃えた後、廃気の産生は環境汚染になる。
（２）内燃機は、仕組が複雑で、外燃機と同じく、エネルギーの消耗量が大きく、環境汚染の問題がある。
（３）電動機、蓄電池は、電力を提供するが、電動機は故障すると、新しいものと交換しなければ仕事ができない。
（４）太陽熱装置は、時間的の制限があり、気候の影響もある。また、太陽光の吸収率は吸収板の設置数量と正比例するため、開いて配列する吸収板は空間使用上の問題がある。
（５）風力発電機は、風力の強さにより発電の安定性が影響されるため、設置場所は風力が強くて滅多に止まらない区域に限定される。
（６）水力発電機は、風力発電機と同じく区域条件による設置制限がある。川の長さが短いと流速が速い川を選択しないといけないので、設置場所の問題がある。
以上の問題に鑑み、発動機の全体構造を簡単にし、燃料燃焼方式でのパワー産生を避け、環境に対する汚染問題を低減することが、本考案が解決しようとする課題である。
【課題を解決するための手段】
【０００４】
上記課題を解決するために、本考案は、電動発動機の伝動装置の一種である。この伝動装置（１）の入力端は電動発電機（３）に駆動され、伝動装置（１）の出力端はパワーを発電機（２）に提供し、発電させる。発電機（２）は産生した電力を蓄電装置（４）に保存し、そして蓄電装置（４）はまた前述の電動発電機（３）に供電して、伝動装置（１）を駆動する。その特徴は、上述の伝動装置（１）は主に、一定の間隔で排列する数個の支持軸（１２）、支持軸（１２）の軸接部を貫く伝動主軸（１３）、伝動主軸（１３）が貫通、固定する最少４個の荷重プーリー（１４１、１４２、１４３、１４４）、伝動主軸（１３）が軸、固定して電動発動機（３）に駆動される第一伝動プーリー（１５１）、伝動主軸（１３）と軸接、固定して発電機（２）にパワーを提供する最少１個の第二伝動プーリー（１５２）に構成されること、前述の４個の荷重プーリー（１４１〜１４４）は２個ずつ支持軸（１２）の両側に配置されるため、伝動装置（１）は第一伝動部（１ａ）と第二伝動部（１ｂ）に形成され、支持軸（１２）の真ん中に伝動主軸（１３）が貫通する伝動軸受（１２２）が設置されること、にある。
この場合、伝動装置（１）の各プーリー（１４１〜１４４、１５１、１５２）と軸受（１２２）が伝動主軸（１３）における排列位置の順番は、第一伝動プーリー（１５１）、第一荷重プーリー（１４１）、伝動軸受（１２２）、第二荷重プーリー（１４２）、第三荷重プーリー（１４３）、伝動軸受（１２２）、第四荷重プーリー（１４４）、第二伝動プーリー（１５２）であることが好ましい。
伝動装置（１）は表面に開口部（１１）があるケース（１０）の内部に設置され、ケース（１０）内壁面が最少４個の荷重プーリー（１４１〜１４４）に対応、荷重プーリー（１４１〜１４４）の外周にある可動軌道輪（５０）をカバーできる。可動軌道輪（５０）は荷重プーリー（１４１〜１４４）外周を囲む内軌道輪（５１）一個、ケース（１０）内壁の中にあり、内軌道輪（５１）と間隔を持つ外軌道輪（５２）一個、内軌道輪（５１）と外軌道輪（５２）の間にあり、内軌道輪（５１）を囲む玉（５３）数個により構成されることが好ましい。
ケース（１０）は一つのケースベース（１０１）と、それぞれケースベース（１０１）の二箇所に被る二つのケースカバー（１０２、１０３）により構成され、二つのケースカバー（１０２、１０３）の間に開口部（１１）が形成され、さらにケース（１０）内の左右半部の底面に、上述の可動軌道輪（５０）の玉（５３）に機械油を提供する機械油槽（１０４、１０５）がそれぞれ設置されることが好ましい。
全ての荷重プーリー（１４１〜１４４）の半分の輪には、凹部（１４ａ）が設置される。全ての荷重プーリー（１４１〜１４４）の残りの半分の輪は、凸部（１４ｂ）が設置される。一つの荷重プーリー（１４１〜１４４）の凸部（１４ｂ）と凹部（１４ａ）が、もう一つの荷重プーリー（１４１〜１４４）の凸部（１４ｂ）と凹部（１４ａ）の間に、角度（θ）を形成することが好ましい。
伝動装置（１）の各プーリー（１４１〜１４４、１５１、１５２）と軸受（１２２）が伝動主軸（１３）における排列位置の順番は、第一荷重プーリー（１４１）、伝動軸受（１２２）、第二荷重プーリー（１４２）、第二伝動プーリー（１５２）、第一伝動プーリー（１５１）、第三荷重プーリー（１４３）、伝動軸受（１２２）、第四荷重プーリー（１４４）であることが好ましい。
伝動装置は第五荷重プーリーと第六荷重プーリー、及び第二伝動プーリー２個を増設できる。伝動装置（１）の各プーリー（１４１〜１４４、１５１、１５２）と軸受（１２２）が伝動主軸（１３）における排列位置の順番は、第一荷重プーリー（１４１）、伝動軸受（１２２）、第二荷重プーリー（１４２）、第二伝動プーリー（１５２）、第三荷重プーリー（１４３）、第二伝動プーリー（１５３）、伝動軸受（１２２）、第一伝動プーリー（１５１）、第四荷重プーリー（１４４）、第二伝動プーリー（１５４）、第五荷重プーリー（１４５）、伝動軸受（１２２）、第六荷重プーリー（１４６）であることが好ましい。
【考案の効果】
【０００５】
本考案は、上記の構成により、次のような効果を奏する。
（ａ）本新型伝動装置１は主に最少４個の荷重プーリー（１４１〜１４４）、最少２個の伝動プーリー、伝動軸受（１２２）等の構成部品、さらにケース（１０）のケースベース（１０１）とケースカバー（１０２，１０３）により伝動装置（１）を二つの伝動部（１ａ、１ｂ）を形成する。この設計のメリットは第一伝動プーリーや第二伝動プーリーを伝動主軸の中央段に設置することができ、ベルト（２２、３２）をケース開口部に通し、電動発動機や発電機に接続することができる。
（ｂ）上述の伝動装置（１）は電動発動機（３）に駆動されるため、伝動燃料燃焼式によりパワー産生を避けることができる。パワー伝達の過程において、伝動装置（１）も燃料を燃焼する必要がなく、環境汚染の低減ができる。
（ｃ）上述の伝動装置（１）はケース（１０）内部に可動軌道輪（５０）の設置により、パワー伝達の過程において、緩くなった荷重プーリーを回転続けさせるため、伝動主軸（１３）の運転に対する影響を下げられ、止まってから検査、交換することができる。
（ｄ）上述の伝動装置（１）は排列位置において、柔軟な運用ができる。２個の伝動プーリー（１５１、１５２）を伝動主軸（１３）の中央段に設置により、上述の発電機（２）と電動発電機（３）を第二荷重プーリー（１４２）と第三荷重プーリー（１４３）の間に設置することができるため、本新型伝動装置の第二実施例は細長い環境に対応することができる。
（ｅ）上述の伝動装置（１）は第五荷重プーリー（１４５）、第六荷重プーリー、及び２個の第二伝動プーリーの増設ができる。それぞれ二つの発電機（２）に運転させる以外、もう一つの同じ伝動装置（１'）と接続したら、伝動装置（１'）における電動発電機（３'）が故障した場合は、代わってパワー提供をして伝動装置（１'）を運転させることができる。
【図面の簡単な説明】
【０００６】
【図１】本考案の第一の実施の形態における伝動装置を示す図
【図２】図１の伝動装置をカースに設置した後の状態を示す断面図
【図３】図２におけるＸ−Ｘ線断面図
【図４】図２におけるＹ−Ｙ線断面図
【図５】図２における４個の荷重プーリーを示す図
【図６】図２における伝動装置の断面図
【図７】本考案の第二の実施の形態における伝動装置を示す図
【図８】本考案の第三の実施の形態における伝動装置を示す図
【考案を実施するための形態】
【０００７】
次に、この考案を実施するための形態について図を用いて説明する。図１〜図６に第一の実施の形態を示している。これらの図に示すように、新型の伝動装置１は、主に一定の間隔で配列される数個の支持軸１２と、これらの支持軸１２の軸接部を貫く伝動主軸１３と、伝動主軸１３が貫通、固定される最少４個の荷重プーリー１４１、１４２、１４３、１４４と、伝動主軸１３が軸、固定されて電動発動機３により駆動される第一伝動プーリー１５１と、伝動主軸１３と軸接、固定されて発電機２にパワーを供給する最少１個の第二伝動プーリー１５２とにより構成される。前述の４個の荷重プーリー１４１〜１４４は２個ずつ支持軸１２の両側に配置されるため、伝動装置１は第一伝動部１ａと第二伝動部１ｂが形成され、支持軸１２の真ん中に伝動主軸１３が貫通する伝動軸受１２２が設置される。
【０００８】
上記の仕組により、この伝動装置１は電動発動機３により駆動されるため、伝動燃料燃焼式によるパワー産生を避けることができる。パワー伝達の過程において、伝動装置１も燃料を燃焼する必要がなく、環境汚染の低減ができる。
【０００９】
上述の４個の荷重プーリー１４１〜１４４について、第一荷重プーリー１４１、第二荷重プーリー１４２、第三荷重プーリー１４３、第四荷重プーリー１４４は上述の伝動軸受１２２と２個の伝動プーリー１５１、１５２に合わせて実施され、伝動主軸１３の位置に配列される。図１に示すように、下から上までの順番は第一伝動プーリー１５１、第一荷重プーリー１４１、伝動軸受１２２、第二荷重プーリー１４２、第三荷重プーリー１４３、伝動軸受１２２、第四荷重プーリー１４４、第二伝動プーリー１５２であり、第二伝動プーリー１５２はベルト２２を利用して上述発電機２の転動盤２１を動かし、電動発動機３の駆動盤３１は同様にベルト３２を利用して伝動装置１の第一伝動プーリー１５１を動かす。
【００１０】
上述の第一、第二伝動プーリー１５１、１５２、転動盤２１、駆動盤３１は歯車により実施でき、ベルト２２、３２は歯付きベルトが採用される。前述の伝動軸受１２２の構造はリング式すべり軸受に類似し、点検蓋により検視して、リングは確実に運転するかどうか確認でき、さらに静止の油面により油面計のメーター位置を注意できる。
【００１１】
この伝動装置１の実施例では、図に示すように、伝動装置１は表面に開口部１１があるケース１０の内部に設置され、支持軸１２の両側がそれぞれケース内部の上下壁面に固定され、上述の伝動軸受１２２が支持軸１２の中心に設置され、そして伝動主軸１３が貫通される。図３に示すように、ケース１０内壁面が最少４個の荷重プーリー１４１〜１４４に対応し、荷重プーリーの外周にある可動軌道輪５０をカバーできる。可動軌道輪５０は荷重プーリーの外周を囲む内軌道輪５１一個、ケース１０内壁の中にあり、内軌道輪５１と間隔を持つ外軌道輪５２一個、内軌道輪５１と外軌道輪５２の間にあり、内軌道輪５１を囲む玉５３数個により構成される。前述の内軌道輪５１は中空で、外軌道輪５２の両側縁は内側に曲げられるが、内軌道輪５１との間に些細な隙を持つ。機械油を浸入させるため以外、荷重プーリーが緩くなっても荷重プーリーを支持でき、それ以上の損害を避ける効果もある。
【００１２】
ケース１０は一つのケースベース１０１と、それぞれケースベース１０１の二箇所に被る二つのケースカバー１０２、１０３により構成され、二つのケースカバー１０２、１０３の間に開口部１１が形成され、さらにケース１０内の左右半部の底面に、上述の可動軌道輪５０の玉５３に機械油を提供する機械油槽１０４、１０５がそれぞれ設置される（図４参照）。そのため、可動軌道輪５０は荷重プーリーの動きと共にスムーズに回転できる。前述の機械油はケース開口部１１から機械油槽１０４、１０５に注入でき、或いはケースカバー１０２、１０３の上部注入口１０６より支持軸１２に注入して、伝動軸受１２２を経由して機械油槽１０４、１０５に入れることができる。ケースベース１０１には機械油を排出するための排出パイプとパイプ口にあるネジ式の防漏蓋が設置される。
【００１３】
この伝動装置１では、４個の荷重プーリー１４１〜１４４の平均設置と、ケースベース１０１とケースカバー１０２、１０３の組み合わせにより、伝動装置１は第一伝動プーリー１５１から第二荷重輪１４２まで第一伝動部が形成され、第三荷重プーリーから第二伝動プーリーまで第二伝動部が形成される。このようにして伝動装置１の各プーリーと軸受を二部分に分けて実施すると、一部分の荷重プーリーが緩くなっても前述の可動軌道輪５０により緩めた荷重プーリーの回転を続けさせ、止まってから検査、交換することができる。或いは第一伝動プーリー１５１や第二伝動プーリー１５２を伝動主軸の中央段に設置し、ベルト２２、３２をケース開口部に通させ発動機や発電機の接続により、臨時運転として使用することができる。
【００１４】
この伝動装置１を運転する時、４個の荷重プーリー１４１〜１４４の慣性作用力により伝動主軸を回転させるために、実施案としてはそれぞれの荷重プーリーの輪面に凹部１４ａと凸部１４ｂを設置、或いは凹部１４ａを凸部１４ｂに合わせて実施する。そうしたら、一つの荷重プーリー凸部１４ｂをもう一つの凸部１４ｂ'の間に角度θを形成させ、また凹部１４ａの方も同じ状況である。
【００１５】
上述の４個の荷重プーリー１４１〜１４４の構造と形状は同じなので、一個の荷重プーリーを選んでその実施案を説明する。図４に示すように、第二荷重プーリー１４２の半分の輪面には凹部１４ａがあり、また半分の輪面には凸部１４ｂがある。第二荷重プーリー１４２を重量不変の状況にして、荷重プーリーの重心を変移させて、凸部１４ｂを持つ半分輪部のモーメントをもう半分輪部のモーメントより大きくして、第二荷重プーリーの回転を始める。ここで分かるのは、各荷重プーリー１４１〜１４４は、図５に示すように、一定角度のθを回転してから伝動主軸１３と接続するため、各輪面の凸部１４ｂと凸部１４ｂはずれている。角度θの設定は、伝動装置１で採用される荷重プーリーの数量により均分する。４個の荷重プーリーで実施する場合は、角度θは９０度となる。静止の場合は、４個の荷重プーリーはてこの平衡状態となり、第一伝動プーリー１５１の回転と共に、各荷重プーリー１４１〜１４４のモーメントは変動と共にバランスが崩れ、可動軌道輪により各荷重輪５０の回転がスムーズに進行できる。
【００１６】
上述の凸部１４ｂは荷重プーリーと一体成型して、ブロック、リッブ、或いは粒の形で実施でき、或いは他の重物の輪面の固定により実施、調整できる。上述の凹部１４ａは荷重プーリーの輪面に凹みを設け、或いは輪面に穴開けをする。また図６は、伝動装置の簡単な実施例である。その違いは、上述の４個の荷重プーリーを可動軌道輪に入れて実施することである。可動軌道輪５０の外軌道輪５２と両側の支持軸もケースベース１０１に固定される。
【００１７】
図７に第二の実施の形態を示している。前述の伝動装置の主要構成部品は配列位置において柔軟な運用ができる。各プーリーと軸受の伝動主軸における位置が下から上へ、第一荷重プーリー１４１、伝動軸受１２２、第二荷重プーリー１４２、第二伝動プーリー１５２、第一伝動プーリー１５１、第三荷重プーリー１４３、伝動軸受１２２、第四荷重プーリー１４４の順番である。このように上述の発電機２と電動発電機３を第二荷重プーリー１４２と第三荷重プーリー１４３の間に設置することにより、この伝動装置の第二実施例では細長い環境に対応することができる。
【００１８】
上述の発電機２は商品番号ＧＲ−６６のマイクロ発電機が採用され、商品番号ＧＲ−２２Ａも採用できる。上述電動発電機３に電動モーターを利用して伝動装置１の入力端を駆動する。上述蓄電装置４は主要供電の第一電池４１、第一電池と連接する予備供電の第二電池４２、第一電池と第二電池を収納する電池座４３により構成される。電池座４３内部の感知電路は、第一電池の電圧が下がって供電不能の場合に第二電池４２を通して充電し、第一電池に使用させる。上述の発電機２が運転により産生した電流は、電池座４３内部の整流器と電解蓄電器を通し、第二電池で保存する。この蓄電装置４の作用としては、電動モーターが仕事する時の電力を提供する。もう一つの作用は電動モーターが運転に際して、電圧と回転速度を安定することである。
【００１９】
図８に第三の実施の形態を示している。図８は前述の伝動装置の主要構成部品のもう一つの配列案であり、上述の第一、第二実施例の応用例を示している。この伝動装置１では、第五荷重プーリー１４５、第六荷重プーリー１４６、及び２個の第二伝動プーリー１５３、１５４を増設して実施している。伝動主軸１３に配列する順番は下から上まで、第一荷重プーリー１４１、伝動軸受１２２、第二荷重プーリー１４２、第二伝動プーリー１５２、第三荷重プーリー１４３、第二伝動プーリー１５３、伝動軸受１２２、第一伝動プーリー１５１、第四荷重プーリー１４４、第二伝動プーリー１５４、第五荷重プーリー１４５、伝動軸受１２２、第六荷重プーリー１４６の順番である。
【００２０】
上述の実施例における２個の第二伝動プーリー１５２、１５４は、それぞれ２個の発電機２の転動盤２１を動かし、もう１個の第二伝動プーリー１５３は伝動装置１'の第一荷重プーリー１５１'を動かす。このようにして伝動装置１は同じ伝動装置１'と連接して実施することにより、伝動装置１'の電動発電機３'が故障した場合に、パワー提供源として伝動装置１'を運転させることができる。なお、蓄電装置４'を取り外して蓄電装置４の電池を交換すること、或いは蓄電装置が電力不足の場合、電路制御の切替装置の設置により電動発電機３の蓄電装置４'に接続することにより、電源を獲得できる。
【００２１】
以上、第一乃至第３の実施の形態から明らかなように、この伝動装置１によれば、次のような効果を有する。
（１）伝動装置１は主に最少４個の荷重プーリー１４１〜１４４、最少２個の伝動プーリー、伝動軸受１２２等の構成部品を有し、さらにケース１０のケースベース１０１とケースカバー１０２，１０３により、伝動装置１が二つの伝動部１ａ、１ｂにより構成されるので、第一伝動プーリーや第二伝動プーリーを伝動主軸の中央段に設置することができ、ベルト２２、３２をケース開口部に通し、電動発動機や発電機に接続することができる。
（２）伝動装置１は電動発動機３に駆動されるため、伝動燃料燃焼式によりパワー産生を避けることができる。パワー伝達の過程において、伝動装置１も燃料を燃焼する必要がなく、環境汚染の低減を図ることができる。
（３）伝動装置１はケース１０内部に可動軌道輪５０の設置により、パワー伝達の過程において、緩くなった荷重プーリーの回転を続けさせるため、伝動主軸１３の運転に対する影響を下げ、止まってから検査、交換することができる。
（４）伝動装置は各部の配列位置において、柔軟な運用ができる。２個の伝動プーリー１５１、１５２を伝動主軸１３の中央段に設置することにより、上述の発電機２と電動発電機３を第二荷重プーリー１４２と第三荷重プーリー１４３の間に設置することができ、伝動装置の第二実施例のとおり、細長い環境に対応することができる。
（５）伝動装置１は第五荷重プーリー１４５、第六荷重プーリー、及び２個の第二伝動プーリーを増設することができ、これにより二つの発電機２を運転させる他、もう一つの同じ伝動装置１'と接続して、伝動装置１'において電動発電機３'が故障した場合に、代わってパワー提供をして伝動装置１'を運転させることができる。
【符号の説明】
【００２２】
１、１'  伝動装置
１ａ  第一伝動部
１ｂ  第二伝動部
１０  外ケース
１０１  外ケース座
１０２、１０３  外ケース蓋
１０４、１０５  機械油槽
１０６  注入口
１０７  排出パイプ
１０８  防漏蓋
１１  開口部
１２  支持軸
１２２  伝動軸受
１３  伝動主軸
１４ａ、１４ａ'  凹部
１４ｂ、１４ｂ'  凸部
１４１  第一荷重プーリー
１４２  第二荷重プーリー
１４３  第三荷重プーリー
１４４  第四荷重プーリー
１５１、１５１'  第一伝動プーリー
１５２、１５３、１５４  第二伝動プーリー
２、２'  発電機
２１  轉動盤
２２  ベルト
３、３'  電動発動機
３１  駆動盤
３２  ベルト
４、４'  蓄電装置
４１  第一電池
４２  第二電池
４３  電池座
５０  可動軌道輪
５１  内軌道輪
５２  外軌道輪
５３  玉
θ  角度
【図１】
0003163161.tif 000003
【図２】
0003163161.tif 000004
【図３】
0003163161.tif 000005
【図４】
0003163161.tif 000006
【図５】
0003163161.tif 000007
【図６】
0003163161.tif 000008
【図７】
0003163161.tif 000009
【図８】
0003163161.tif 000010